(57)【要約】  本発明は、メッシュ布の技術分野に関し、布体を含む光電変換メッシュ布において、前記布体に複数のメッシュが前記布体を貫通して、且つ互にずれて配置され、前記布体の一面に、防水するように設置され、電力貯蔵用電池に電気的に接続される光電変換素子が設けられる光電変換メッシュ布及び日よけを開示した。従来技術に比べ、メッシュ布は、布体に複数のメッシュが設けられるので、通風の効果を有し、強風を弱くすることができる。メッシュによって雨水を分割し、それに落ちた雨水を霧状に分割することができる。また、光電変換素子によって、日光を電気エネルギーに変換して、電力貯蔵用電池に貯蔵する。メッシュによって、光線を複数回屈折や反射して、それに入った光線を複数回分割し、メッシュ布の下の生物等の雨水及び日光に対する感度を減少させ、省エネルギーで環境にもやさしい。
2016533155.tif 000002
【特許請求の範囲】
【請求項１】
布体を含む光電変換メッシュ布において、前記布体には複数のメッシュが前記布体を貫通して、且つ互にずれて配置され、前記布体の一面に、防水するように設置され、電力貯蔵用電池に電気的に接続される光電変換素子が設けられることを特徴とする光電変換メッシュ布。
【請求項２】
前記布体には使用中に接地する金属糸が被覆され、前記金属糸は、前記光電変換素子からずれるように複数の前記メッシュの間に設けられることを特徴とする請求項１に記載の光電変換メッシュ布。
【請求項３】
前記光電変換素子は、糸ゴム又は他の物理的な手段によって前記布体の一面に接続されることを特徴とする請求項１又は２に記載の光電変換メッシュ布。
【請求項４】
複数の前記メッシュは、前記布体に複数行配置されて、互にずれて配置された複数行のメッシュの行になることを特徴とする請求項２に記載の光電変換メッシュ布。
【請求項５】
隣接する前記メッシュの行は、互にずれて配置されることを特徴とする請求項４に記載の光電変換メッシュ布。
【請求項６】
前記金属糸は、隣接する前記メッシュの行の間に設けられることを特徴とする請求項４に記載の光電変換メッシュ布。
【請求項７】
請求項１〜６の何れか１項に記載の光電変換メッシュ布を備えることを特徴とする日よけ。
【発明の詳細な説明】
【技術分野】
【０００１】
本発明は、メッシュ布の技術分野に関し、特に、光電変換メッシュ布及びこの光電変換メッシュ布を備える日よけに関する。
【背景技術】
【０００２】
現在、日よけは、よく雨風を防ぐこと及び日焼け止めに用いられるものであり、例えば、アウトドア設備にかけられたり、臨時的に雨風を防ぐ家屋等に用いられる。
【０００３】
従来技術において、日よけはほとんど、目が詰んだ布体に、部材を合わせてなる。雨風を防ぐ効果を果たすために、布体は、一般的に完全に密閉し目が詰んだものである。これにより、阻止作用だけを果すが、風や雨が強いと、吹き飛ばされやすく、雨風を防ぐ効果を確実に果たしにくい。また、この日よけの布体では、光電変換素子を搭載できなく、太陽エネルギーを利用できない。
【発明の概要】
【発明が解決しようとする課題】
【０００４】
本発明は光電変換メッシュ布を提供することを目的とし、従来技術における日よけの布体が風雨により吹き飛ばされやすく、また太陽エネルギーを利用できないという問題を解決することを旨とする。
【課題を解決するための手段】
【０００５】
本発明は、布体を含む光電変換メッシュ布において、前記布体に複数のメッシュが前記布体を貫通して、且つ互にずれて配置され、前記布体の一面に、防水するように設置され、電力貯蔵用電池に電気的に接続される光電変換素子が設けられる光電変換メッシュ布により実現される。
【０００６】
更に、前記布体に使用中に接地する金属糸が被覆され、前記金属糸は、前記光電変換素子からずれるように複数の前記メッシュの間に設けられる。
【０００７】
更に、前記光電変換素子は、糸ゴム又は他の物理的な手段によって前記布体の一面に接続される。
【０００８】
更に、複数の前記メッシュは、前記布体に複数行配置されて、互にずれて配置される複数行のメッシュの行になる。
【０００９】
更に、隣接する前記メッシュの行は、互にずれて配置される。
【００１０】
更に、前記金属糸は、隣接する前記メッシュの行の間に設けられる。
【００１１】
本発明は、更に、前記光電変換メッシュ布を備える日よけを提供する。
【発明の効果】
【００１２】
従来技術に比べ、メッシュ布は、布体に複数のメッシュが設けられるので、通風の効果を有し、強風を弱くすることができる。メッシュによって雨水を分割し、それに落ちた雨水を霧状に分割することができる。また、光電変換素子によって、日光を電気エネルギーに変換して、電力貯蔵用電池に貯蔵する。メッシュによって、光線を複数回屈折や反射して、それに入った光線を複数回分割し、メッシュ布の下の生物等の雨水及び日光に対する感度を減少させ、省エネルギーで環境にもやさしい。
【図面の簡単な説明】
【００１３】
【図１】本発明の実施例による光電変換メッシュ布の前面模式図である。
【図２】図１におけるＡ部を拡大した模式図である。
【発明を実施するための形態】
【００１４】
本発明の目的、技術的解決手段及び利点をより明らかにするために、以下、図面及び実施例に合わせて本発明をより詳細に説明する。ここで説明される具体的な実施例は本発明を解釈するためのものに過ぎず、本発明を限定するためのものではないことを理解すべきである。
【００１５】
以下、具体的な図面に合わせて本発明の実現について詳細に説明する。
【００１６】
図１〜２に、本発明の好ましい実施例を示す。
【００１７】
図１及び図２に示すように、本実施例によるメッシュ布１は、日よけに適用されることができるが、もちろん、本実施例への適用に限定されず、他の設備に適用されてもよい。
【００１８】
本実施例における光電変換メッシュ布１は、布体１５を含み、布体１５に複数のメッシュ１２が布体１５の上下端面を貫通して、且つ互にずれて配置される。布体１５の上端面に光電変換素子１１が設けられる。この光電変換素子１１は、防水するように設置され、電力貯蔵用電池に電気的に接続されており、その上に照射された光を電気エネルギーに変換して、電気エネルギーを電力貯蔵用電池に貯蔵することができる。
【００１９】
もちろん、光電変換素子１１は、布体１５の上端面に設けられることで、一部のメッシュ１２を遮蔽する。光電変換素子１１に遮蔽されない部分のメッシュ１２は、外に露出することになる。複数の光電変換素子１１は、具体的に実際の要求によるが、並列に設けられてもよいし、直列に設けられてもよい。
【００２０】
上記で提供する光電変換メッシュ布１は、布体１５に複数のメッシュ１２が設けられる。これにより、通風の効果を有し、強風を弱くすることができる。メッシュ１２は、雨水を分割して分流させることができる。メッシュ１２は布体１５に落ちた雨水を分割して、布体１５内に入った雨水をミスト状にし、内部生物等の雨水に対する感度を低下させるようにする。日光が布体１５に照射されると、直接光電変換素子１１に照射された日光は、電気エネルギーに変換され、更に光電変換素子１１を介して太陽エネルギーを電気エネルギーに変換して、電力貯蔵用電池の中に貯蔵する。光電変換素子１１に照射されない日光は、一部が布体１５に反射されていて、一部がメッシュ１２を介してメッシュ布１内に照射される。そして、照射される途中で、メッシュ１２の内壁によって、日光を複数回屈折や反射して、日光の分割作用を果たし、メッシュ布１の下の生物等の日光に対する感度を減少させることができる。
【００２１】
本実施例において、光電変換素子１１の両端は、糸ゴム１３又は他の物理的な手段によって布体１５の上端面に接続される。もちろん、例えば、縫い合わせ等の他の手段で接続されてもよく、本実施例における接続手段に限定されない。
【００２２】
布体１５の上端面に金属糸１４が被覆される。この金属糸１４は接地し、光電変換素子１１からずれるように、メッシュ１２の間に設けられる。つまり、金属糸１４は、光電変換素子１１の側辺外に、メッシュ１２の間の布体１５の一部に設けられており、メッシュ１２を遮蔽しないようにする。接地する金属糸１４を布体１５に被覆することで、メッシュ布１が避雷効果等を有しないようにすることができる。
【００２３】
本実施例において、複数のメッシュ１２は、布体１５に複数行配置されて、互にずれて配置された複数行のメッシュ１２の行となる。また、複数行のメッシュ１２の行それぞれにおける複数のメッシュ１２が互にずれて配置される。具体的には、隣接するメッシュ１２の行におけるメッシュ１２は、ずれて配置されてもよいし、位置合わせて配置されてもよい。
【００２４】
上記の金属糸１４は、隣接するメッシュ１２の行の間に配置されるので、金属糸１４は、メッシュ１２の行に平行になるように、線形的に配置される。
【００２５】
本実施例において、光電変換素子１１は、ストリップ状となる。複数の光電変換素子１１は、メッシュ１２の行に平行になるように、互にずれて配置される。
【００２６】
本実施例は、更に、上記の光電変換メッシュ布１を備える日よけを提供する。これにより、このメッシュ布１によって光、雨水及び風を防備し利用することで、日よけの下の生物等をよく保護することができる。
【００２７】
上記は本発明の好ましい実施例に過ぎず、本発明を制限するためのものではなく、本発明の精神及び原則においてなされたあらゆる変更、等価取替及び改良等は、本発明の保護範囲に含まれるはずである。
【図１】
2016533155.tif 000003
【図２】
2016533155.tif 000004
【国際調査報告】
2016533155.tif 000005
2016533155.tif 000006
2016533155.tif 000007
2016533155.tif 000008